(57)【要約】【課題】本発明は、冷却効率を落とすことなく、印字動作音を低レベルに抑えるダクト系を有するコンパクトなドットラインプリンタを提供することを課題としたものである。【解決手段】内装カバーの内側にルーバー設け、防音効果を高め、コストの低減も可能にした。【選択図】図１
2011121189.tif 000002
【特許請求の範囲】
【請求項１】
印字用紙に文字、図形等の印刷を行う印刷機構部と、該印刷機構部を乗せるための台座部、前記印刷用紙を収納可能な用紙収容部、及び外気と通気するためのダクトを設けた筐体とを有するドットラインプリンタにおいて、
前記台座部の開口と前記用紙収容部との間に、着脱可能で、かつその内側にルーバーを配設した内装カバーを、前記ダクトに連通するように設けたことを特徴とするドットラインプリンタ。
【発明の詳細な説明】
【技術分野】
【０００１】
本発明は、ドット印字用印字ハンマによりドットマトリックス形式で印刷を行うドットラインプリンタの内装カバーの構造に関するものである。
【背景技術】
【０００２】
図３、図４、図５を用いて従来技術を説明する。
【０００３】
ドットラインプリンタの印字方式は、印字ハンマ（図示せず）を有するハンマ機構部１を図示していないシャトル機構部（図示せず）により桁方向に往復移動し、この過程でインクリボン２、印字用紙３を介して、印字力を保持するプラテン４に対して印字ハンマを駆動し、印字用紙３にインクリボン２のインクを転写し、ドットマトリクスの形で印字する印字動作と、ステッピングモータ５を駆動しトラクタ６を介して印字用紙を桁方向と垂直に送る紙送り動作とを交互に繰り返しながら、文字、図形などの印刷を行う。以上の印字にかかわる機構部を印刷機構部１１と称する。
【０００４】
印刷機構部１１の印字ハンマ、シャトル機構部、紙送りモータの主幹駆動部は動作することで熱を発生するため、プロペラＤＣファン２０等により強制的に外気を熱源である印刷機構部１１に送り込み、空気冷却を行っている。そのため、筐体１０には外気を取り入れる吸気口１３、筐体内で熱交換されたあと暖められた空気を排出する排気口１９が設けられている。
【０００５】
また、印刷機構部１１は駆動することで主に印字ハンマがインクリボン２を介して印字用紙３を打撃する印字音、ハンマ機構部１を桁方向に往復移動させるためのシャトル機構部の駆動音、及びステッピングモータ５を駆動しトラクタ６を介して印字用紙３を桁方向と垂直に送る紙送りに伴う用紙搬送音等が発生する。
【０００６】
筐体１０内で発生した音源は、筐体１０に設けられたダクト１２内を空気伝搬し、吸気口１３、排気口１９等の開口から筐体１０の外に漏れる。
【０００７】
音源から発生した騒音の漏れ量を小さなレベルにするには、吸気口１３、排気口１９の開口面積を小さくする方法が効果的であるが、開口面積を小さくすることで空気の流量が少なくなり、筐体１０の外に熱交換され温まった空気の排出も少なくなるため、適正な熱源の冷却をすることが出来なくなってしまう。吸気口１３、排気口１９の開口面積を確保し、かつ騒音を直接筐体１０の外部に漏らさない方法として、従来より、筐体１０のダクト１２内に、冷却に必要な風路断面を確保し、空気の流れを妨げない間隔の遮音板１７を交互に設けた構成が提案されている。しかし、ダクト１２は袋状となっているため、ダクト１２の内面に遮音板１７を設ける構成は作業を複雑にしている。
【０００８】
一方、筐体１０内で発生した騒音の一部は筐体１０の外装壁を伝搬し、筐体１０外に漏れる、いわゆる「音の透過」現象を生じる。この対策として、筐体１０の外装の内面に吸音材１８を貼り付け、筐体外部へ音の透過を抑えることが考えられる。しかし、吸音材１８をダクト内の筐体１０の外装の内面等に貼り付ける構成とすると、筐体１０の構成が複雑になり、製造時、リサイクル面でコストがかかってしまうという問題があった。
【０００９】
上述の問題を解決する方法として、印刷機構部から発生する騒音を外装カバーと台座間の機密性を確保し、防音効果を高める例がある（特許文献１参照）。
【００１０】
あるいは、騒音を抑制する方法として、ダクトを兼ねた内装カバー１４に吸音材を貼り付け、筐体１０のダクト１２内に騒音が至る前に吸音材１８の吸音効果により騒音レベルを小さく抑える方法が提案されている（特許文献２参照）。
【発明の概要】
【発明が解決しようとする課題】
【００１１】
しかし、上述したように、印刷機構部から発生する騒音を外装カバーと台座間の機密性を確保する方法では、加工に手間がかかり、コスト低減には限界があった。また、吸音材をダクト１２の内面、あるいは内装カバー１４に貼付ける構成は、貼り付ける吸音材の厚み分だけダクト面積をとられ、冷却に必要な風路断面積を確保するためには、筐体自体が大きくなってしまうという問題があった。
【００１２】
本発明の目的は、印刷機構部の熱源の冷却効率を確保し、直接外部に音を漏らさない構造で騒音を低減し、低コスト信頼性の高いコンパクトなドットラインプリンタを提供することである。
【課題を解決するための手段】
【００１３】
上記した目的を達成するために、本発明は、印刷機構部の冷却風供給用に印刷機構部の下方の台座に設けられた開口を覆う内装カバーで、且つ内装カバーを取り付けることで筐体側面に配設されたダクトと連結しダクトを兼ねる内装カバーの内側にルーバーを配設する構成とした。
【発明の効果】
【００１４】
上記構造によれば、印刷機構部の下方の台座に設けられた開口に近い位置にルーバーを配置することで、印刷機構部の下方の台座に設けられた開口から漏れる音の大半をダクト内の筐体外装面に達する前に反射できる。そのため筐体のダクト内に遮音板を配設する構成と、同等の反射効果が得られる。また、ルーバーにより印刷機構部の下方の台座に設けられた開口から漏れる音の大半が反射されるため、ダクト内の筐体外装面に吸音材を貼り付けなくても音の透過レベルを抑えるが出来る。これに加え、ルーバーは風路断面積に影響することなくダクトを兼ねた内装カバー内に配置でき、かつ、内装カバー及び筐体のダクト内に吸音材を貼り付けない構成とすることで、最小限のサイズの風路断面積でプリンタ内に配置することが出来る。そして、印刷機構部の熱源の冷却効率を落とすことなく、吸気口からの印字動作音を低レベルに抑制し、かつコンパクトなプリンタを提供することが出来る。
【図面の簡単な説明】
【００１５】
【図１】本発明の一例となるドットラインプリンタの概略断面図である。
【図２】本発明の一例となる内装カバーの斜視図である。
【図３】従来のドットラインプリンタの概略断面図である。
【図４】印刷機構部の概略斜視図である。
【図５】ドットラインプリンタの冷却風路を示す説明図である。
【発明を実施するための形態】
【００１６】
以下、図１及び図２を参照して本発明の一例を説明する。
【００１７】
筺体１０は、台座部分に印刷機構部１１を搭載し、その下部に印刷用紙３を設置する用紙収容部２１と、側面にダクト１２とを有する構造となっている。また、台座部分の下方には内装カバー１４が設けられている。当該構成により、冷却用外気の吸気口１３から取り入れられた空気はダクト１２に入り、内装カバー１４に配設されたルーバー１５を通過し、印刷機構部１１の下方の台座開口１６から印刷機構部１１の熱源部に送られ、印刷機構部１１等を冷却する。更に、図示はないが、筐体１０内に送られ熱交換された空気は、筐体に設けられた排気口から外に排出される。
【００１８】
図２に示すように、内装カバー１４は筐体１０側に配設されたダクト１２と連結し、かつダクトを兼ねる構造となっている。印刷機構部１１で発生した音は、筐体１０のダクト１２内を空気伝搬し、筐体１０の開口から筐体外に出るが、内装カバー１４の内側に設けられたルーバー１５にて反射されるため、直接、筐体１０の外部に騒音が漏れにくくなる。
【産業上の利用可能性】
【００１９】
ドットラインプリンタに関わらず、用紙に印字を行う印刷装置にも適用できる。
【符号の説明】
【００２０】
１はハンマ機構部、２はインクリボン、３は印刷用紙、３はインクリボン、４はプラテン、５はステッピングモータ、６はトラクタ、１０は筐体、１１は印刷機構部、１２はダクト、１３は吸気口、１４は内装カバー、１５はルーバー、１６は印刷機構部の台座開口、１７は遮音板、１８は吸音材、１９は排気口、２０はプロペラＤＣファン２０、２１は用紙収容部である。
【先行技術文献】
【特許文献】
【００２１】
【特許文献１】特開２００３−３２６８０５号公報
【特許文献２】特開昭５５−１６１６８６号公報
【図１】
2011121189.tif 000003
【図２】
2011121189.tif 000004
【図３】
2011121189.tif 000005
【図４】
2011121189.tif 000006
【図５】
2011121189.tif 000007